(57)【要約】【課題】長時間のＶＤＴ作業やゲーム機の使用等によるサーカディアン・リズムの変調、他を低減又は可及的に回避するために、特定範囲の波長光のフィルタリング（透過の制限）機能を付与し、かつ、着用時のグラス部８の「装」／「脱」の切替えに係る回動操作が極めて容易な（使い勝手の良い）のオーバーグラスを提供する。【解決手段】両眼前方に配置されるグラス部８と、このグラス部８を支持するフレーム部９を有し、グラス部８は、網膜を構成する第３の光受容体細胞を刺激する特定範囲の波長光が当該網膜に到達するのを制限するフィルタープレート４を有し、グラス部８の上辺とフィルタープレート支持棹２との間に設けられて、グラス部８を両眼前方の位置から上方に回動可能に取り付けた蝶番６を有し、フィルタープレートの側部下辺近傍に、当該グラス部８を指先で跳ね上げ／跳ね戻しするための縁堤７を設けた。【選択図】図１
0003205970.tif 000002
【実用新案登録請求の範囲】
【請求項１】
両眼前方に配置されるグラス部と、このグラス部を支持するフレーム部を有し、通常使用している眼鏡の前方に着用可能で、裸眼にも使用できるオーバーグラスであって、
前記グラス部は、可視光線の青色成分内の特定範囲の波長光が網膜に到達するのを制限するフィルタープレートで構成され、
前記フレーム部は、前記両眼の上方を横断するフィルタープレート支持棹と、このフィルター支持棹の両端から後方に延びる耳架け部を有し、
前記グラス部の上辺と前記フィルタープレート支持棹との間に設けられて、前記グラス部を前記両眼前方の位置から上方に回動可能に取り付けた蝶番を有し、
前記グラス部を構成する前記フィルタープレートの側部下辺近傍に、当該グラス部を指先で跳ね上げ／跳ね戻しする際に、当該指先の汚れが前記フィルタープレートに付着して視界の妨げになる不都合を排除するための縁堤を設けてなり、
前記フィルタープレートで制限される光波長の前記特定範囲が前記網膜を構成する第３の光受容体細胞を特異的に刺激する波長を含むことを特徴とするオーバーグラス。
【請求項２】
前記第３の光受容体細胞を特異的に刺激する波長光は、体内時計のコントロールに影響を及ぼす波長光であることを特徴とする請求項１に記載のオーバーグラス。
【請求項３】
前記光波長の前記特定範囲が４６０±２５ｎｍであることを特徴とする請求項１に記載のオーバーグラス。
【請求項４】
前記フィルタープレートは、プラスチック薄板又はガラス薄板の何れかからなる透明基板と、この透明基板に前記特定範囲の波長光の透過を制限する塗布膜を有することを特徴とする請求項１乃至３の何れかに記載のオーバーグラス。
【請求項５】
前記フィルタープレートは、プラスチック薄板、あるいは薄板ガラスからなる透明基板に前記特定範囲の波長光の透過を制限する顔料又は色素を含有させたことを特徴とする請求項１乃至３の何れかに記載のオーバーグラス。
【考案の詳細な説明】
【技術分野】
【０００１】
本考案は、通常使用している眼鏡の前方に着用可能で、裸眼にも使用できるオーバーグラスに係り、特に、パソコンおよびゲーム機、スマートホン等の電子機器端末のモニター画面から出射される、所謂、ブルーライトの内で、特に強い生理的作用を有する波長光の暴露による、所謂、ブルーライトハザードから眼底の網膜および関連・付随する機能を保護するためのオーバーグラスに関する。
【背景技術】
【０００２】
パソコンおよびゲーム機、スマートホンあるいはタブレットと称される各種電子機器のＶＤＴ（ビジュアル・ディスプレイ・ターミナル）には、そのモニター画面に表示する情報を視覚化するための光源（バックライト、フロントライトなど）を備えている。
【０００３】
特に、近年のモニター画面の多くは液晶パネルで構成されており、その光源にＬＥＤ（発光ダイオード）を用いている。この種のＬＥＤの発する可視光線波長域の短波長成分の青色光（波長が略３８０ｎｍ乃至５００ｎｍのブルーライト）が含まれている。
【０００４】
眼に入る光量を制限して対象を見易くし、あるいは強い光や紫外線から眼を保護するオーバーグラスは、サングラスや偏光グラスとして既知である。オーバーグラスの従来技術を開示したものとして、例えば特許文献１、特許文献２、特許文献３、特許文献４、特許文献５などを挙げることができる。
【先行技術文献】
【特許文献】
【０００５】
【特許文献１】特開２０１４−１４９４１５号公報
【特許文献２】特開２０１４−７１４４５号公報
【特許文献３】特開２００３−３３７３１６号公報
【特許文献４】実開平５―５５１２３号公報
【特許文献５】実用新案登録第３０１１３２０号
【非特許文献】
【０００６】
【非特許文献１】保健文化社刊「健康管理」第６３巻３号（pp.２−１１）
【考案の概要】
【考案が解決しようとする課題】
【０００７】
眼底の網膜を構成する視細胞は、色覚を区別する錐体細胞（第１の光受容体）、明暗を区別する桿体細胞（第２の光受容体）に加えて、第３の光受容体（メラノプシン含有網膜神経節細胞）で構成されている。第３の光受容体細胞は、サーカディアン・リズム（概日リズムとも言う）をコントロールする視細胞で、光波長４６０ｎｍ付近のみに特異的に反応することが近年知られている。第３の光受容体は、所謂、体内時計のリズムを整えて、健康を維持する上で重要な役割を果している。
【０００８】
すなわち、眼底の網膜に入射する青色光成分の強度が大きいと、（１）眼精疲労を始めとする諸症状（肩凝り、頭痛、他）をもたらすことは一般によく知られるところであるが、更に、特定波長のブルーライトを長時間見つめることで、所謂、体内時計を狂わせてしまうことにより誘発される（２）不眠およびそれに伴う諸症状、更には、長期的な観点として影響が懸念される（３）網膜（黄斑部）へのダメージなどが、近年、急速に問題として認識されつつある（所謂、上記したブルーライトハザードへの対応）。
【０００９】
しかしながら、上記したＶＤＴのモニター画面からは、波長範囲が略３８０ｎｍ〜５００ｎｍの光（ブルーライト）が、図４に示したように、スパイク状のスペクトラム分布を構成しながら、非常に強く出射する。又、このブルーライトには光波長４６０ｎｍ付近の光がスパイク状に特に強く含まれている。光波長４６０ｎｍ付近を含むブルーライトを長時間にわたって見つめると、サーカディアン・リズム（所謂、体内時計のリズム）に変調をきたし、不眠とそれに伴う種々の体調不良の原因ともなる。
【００１０】
尚、ブルーライトハザードは、近年、問題として提起されている実例、すなわち、長時間に渡ってスマホやゲーム機等で遊ぶ若年層に多発する不眠の指摘以外にも、職場環境において、近年、急速に普及し、その使用時間および使用期間が積算的に増加傾向にあるＶＤＴ作業に伴う健康被害の問題が、（１）眼精疲労や（２）不眠などの短期的な病態以外にも、（３）加齢黄斑変性症の発症リスクのへの関与など、後年に及ぶ長期的な病態への関わりも示唆されるものとして、最近では、産業衛生の分野においても急速に関心が高まりつつある（非特許文献１参照）。
【００１１】
本考案は、上記の課題を可及的に解決して、長時間のＶＤＴ作業やゲーム機の使用等によるサーカディアン・リズムの変調、他を低減又は可及的に回避するために、特定範囲の波長光のフィルタリング（透過の制限）機能を付与したオーバーグラスを提供することを目的とする。
【課題を解決するための手段】
【００１２】
上記目的を達成するため、本考案は、通常使用している眼鏡の前方に着用可能で、裸眼にも使用できるオーバーグラスに、サーカディアン・リズムの変調、他を低減又は可及的に回避するために、特定範囲の波長光のフィルタリング（透過の制限）機能を付与した。本考案の代表的な構成を開示すると、以下のとおりである。
【００１３】
（１）両眼前方に配置されるグラス部と、このグラス部を支持するフレーム部を有し、通常使用している眼鏡の前方に着用可能で、裸眼にも使用できるオーバーグラスであって、前記グラス部は、特定範囲の波長光が網膜に到達するのを制限するフィルタープレートで構成され、前記フレーム部は前記両眼の上方を横断するフィルタープレート支持棹と、このフィルター支持棹の両端から後方に延びる耳架け部を有し、前記グラス部の上辺と前記フィルタープレート支持棹との間に設けられて、前記グラス部を前記両眼前方の位置から上方に回動可能に取り付けた蝶番を有し、かつ、前記グラス部の側部下辺近傍に、当該グラス部を指先で跳ね上げ、かつ跳ね戻しするための縁堤を設けてなり、
前記フィルタープレートで透過が制限される光波長の前記特定範囲が前記網膜を構成する第３の光受容体細胞を特異的に刺激する波長を含むことを特徴とする。
（２）前記第３の光受容体細胞を刺激する波長光は、所謂、体内時計（サーカディアン・リズム）をコントロールする特定の波長であることから、前記フィルタープレートに上記特定波長又は上記特定の波長を含む範囲の光の透過を制限する機能を付与したことを特徴とする。
（３）前記フィルタープレートに概ね波長４６０±２５ｎｍの光の透過を制限する機能を付与したことを特徴とする。
（４）前記フィルタープレートは、プラスチック薄板、あるいは薄板ガラスの透明基板に前記特定範囲の波長光の透過を制限する塗布膜（フィルターコーティング）を有するものとしたことを特徴とする。
（５）前記フィルタープレートは、プラスチック薄板、あるいは薄板ガラスの透明基板に前記特定範囲の波長光の透過を制限する顔料又は色素等を含有させたことを特徴とする。
【００１４】
なお、本考案は、上記の構成に限定されるものではなく、後述する考案の詳細な説明に記載を逸脱しない範囲で種々の変更が可能である。
【考案の効果】
【００１５】
本考案のオーバーグラスを用いることにより、長時間のＶＤＴ作業やゲーム機の使用等によるサーカディアン・リズムの変調、他を低減又は可及的に回避することを企図するものである。すなわち、適正な使用により、上記の特定範囲の波長光の網膜への到達が効果的に低減される場合には、不眠や眼精疲労に伴う諸症状、他の軽減〜可及的な解消に関しての合理的な対策に係る選択肢の一つを提供する可能性が期待される。但し、生体における反応である点に鑑み、効果における個人差は排除できない旨のあらかじめの理解も不可欠とされる。
【図面の簡単な説明】
【００１６】
【図１】本考案に係るオーバーグラス１の外観図であり、同図（ａ）はグラス部８が両眼の前面に位置する状態を示し、同図（ｂ）はグラス部８を上方に跳ね上げて両眼の前面から退避させた状態を示す。
【図２】図1（ａ）に示した本考案に係るオーバーグラス１のグラス部８をＡ−Ａ’線に沿って切断して縁堤のバリエーションを説明する断面図である。
【図３】図1（ａ）に示した本考案に係るオーバーグラス１を構成するグラス部８を構成するフィルタープレート４の側部下辺近傍に形成して当該グラス部８を指先で跳ね上げるための縁堤７を説明図する要部正面図であり、同図（ａ）は縁堤７をフィルタープレート４のグラス部８を構成するフィルタープレート４の側部下辺近傍に突出させた例を示し、同図（ｂ）は縁堤７をフィルタープレート４の前記グラス部８の側部下辺近傍でフィルタープレート４の輪郭内に設けた例を示す。
【図４】ブルーライトのスペクトラム分布を説明する図である。
【考案を実施するための形態】
【００１７】
以下、実施例の図面を参照して本考案に係るオーバーグラス１を詳細に説明する。
【００１８】
図１は、本考案に係るオーバーグラス１の外観図である。このオーバーグラス１は、通常使用している眼鏡の前方に着用可能で、裸眼にも使用できるようになっている。なお、図１の（ａ）はグラス部８が両眼の前面に位置する状態を示し、図１の（ｂ）はグラス部８を上方に跳ね上げて両眼の前面から退避させた状態を示す。
【００１９】
図１において、本考案に係るオーバーグラス１は、図示しない両眼の前方に配置されるグラス部８と、このグラス部８を支持するフレーム部９で構成される。フレーム部９は両眼の上方を横断するフィルタープレート支持棹２と、このフィルタープレート支持棹２の両端で、略平行かつ略直角に屈折した側端に折り畳み蝶番１０で取り付けられた耳架け部３からなる。フィルタープレート支持棹２の中央部分には、使用者の鼻峰に当接してグラス部８を両眼に正対させるための鼻台５が設けられている。
【００２０】
グラス部８の上辺とフィルタープレート支持棹２との間に、グラス部８を使用者の両眼前方の位置から上方に回動可能に取り付けた蝶番６を有している。そして、グラス部８の側部下辺近傍には、当該グラス部８を指先で跳ね上げ／跳ね戻しする際に、当該指先の汚れがフィルタープレート４に付着して視界の妨げになる不都合を排除するための縁堤７が設けられている。
【００２１】
グラス部８は、特定範囲の波長光が網膜に到達するのを制限するフィルタープレート４で構成される。フィルタープレート４で透過が制限される光波長の範囲は網膜を構成する第３の光受容体細胞を特異的に刺激する波長４６０ｎｍ付近を含む。
【００２２】
本実施例では、フィルタープレート４はプラスチック薄板の透明基板に特定範囲の波長光（上記の４６０±２５ｎｍ）の透過を制限する塗布膜が形成されている。このプラスチック薄板に替えて薄板ガラスであってもよい。また、フィルタープレート４として、プラスチック薄板、あるいは薄板ガラスの透明基板に前記特定範囲の波長光の透過を制限する顔料又は色素等を含有させたものを用いることもできる。
【００２３】
グラス部８を構成するフィルタープレート４の側部下辺近傍には当該グラス部８を指先で跳ね上げ／跳ね戻しする際に、当該指先の汚れがフィルタープレート４に付着して視界の妨げになる不都合を排除するための縁堤７が設けられている。
【００２４】
図２は、図1（ａ）に示した本考案に係るオーバーグラス１のグラス部８をフィルタープレート４をＡ−Ａ’線に沿って切断して縁堤のバリエーションを説明する断面図であり、前記縁堤７の種々の形状・構造を示す。図２の（ａ）乃至図２の（ｄ）に示されたように、一般的な眼鏡の玉（レンズなど）に相当するフィルタープレート４はフレーム部９を構成するフィルタープレート支持棹２に蝶番６で跳ね上げ可能に取り付けられている。
【００２５】
図２の（ａ）に示した第１例では、フィルタープレート４の側部（使用者の顔の左右外側の下辺近傍に縁堤７を形成されている。この縁堤７はフィルタープレート４の内側に山形に膨出して形成されている。図２の（ｂ）に示した第２例は図２の（ａ）に示した膨出の程度を少なくし、フィルタープレート４の隅にかけて厚みが増すような形状とされている。
【００２６】
図２の（ｃ）に示した第３例では、縁堤７をフィルタープレート４の外側に適宜の山形に膨出して形成されている。図２の（ｃ）には内側が凹んでいるように縁堤７が形成されているが、外側だけに膨出させてもよい。このことは、図２の（ａ）に示した第１例についても同様である。
【００２７】
図２の（ｄ）に示した第４例では、縁堤７がフィルタープレート４の内側と外側に背中合わせで適宜の山形に膨出して形成されている。この縁堤７は上記の各例に示した形状に限らず、例えば凹凸に代えてメッシュなど、表面を荒目処理したものとすること、さらに表面を荒目処理を図２の形状に組み合わせることも可能である。
【００２８】
図３は、図1（ａ）に示し、図2で説明した本考案に係るオーバーグラスを構成するグラス部８を構成するフィルタープレート４の側部下辺近傍に形成して当該グラス部を指先で跳ね上げる（又は跳ね戻す）ための縁堤を説明図する要部正面図である。同図（ａ）は縁堤７をフィルタープレート４のグラス部８を構成するフィルタープレート４の側部下辺近傍に突出させた例を示し、同図（ｂ）は縁堤をフィルタープレート４の前記グラス部８の側部下辺近傍でフィルタープレート４の輪郭内に設けた例を示す。
【００２９】
縁堤７は、使用者がその指先で容易に位置を確認・調節できるようにすることを目的とするもので、グラス部８を確実に跳ね上げ、かつ跳ね戻し（元の位置に戻す：引きおろし）の回動操作が容易にできるということの他、同操作の際に、当該指先の汚れがフィルタープレート４に付着して視界の妨げになる不都合を排除する効果が特徴的である。
【００３０】
なお、図示しないが、蝶番６として跳ね上げ位置を任意に調整できるフリクションストップ構造、あるいは段階的に選択するクリックストップ構造のものを採用することもできる。さらに、蝶番６として、跳ね上げ、かつ跳ね戻しに要する負荷をスプリングで調整できる機能を有する既知の蝶番を採用することもできる。
【００３１】
上記実施例の構成としたことにより、長時間のＶＤＴ作業やゲーム機の使用等によるサーカディアン・リズムの変調、他を低減又は可及的に回避することを企図するものである。加えて、グラス部８の回動可能による着用時の使い勝手の良さを、大幅に付与した。
【００３２】
上記実施例を参照して本考案の効果をより具体的に記述すれば、以下の通りである。すなわち、蝶番６による回動操作が可能なグラス部８およびフィルタープレート４を採用したオーバーグラス構造とすることにより、オーバーグラス本体１の顔面頭部からの頻繁なる着脱行動を行うことなく（本体１を着用したままの状態で）、グラス部８（フィルタープレート４）のみを容易に回動できる。これにより、状況に応じての頻繁なる同部の「装」（両眼の前面への設置）と「脱」（両眼の前面からの退避）の操作が求められる場合においても、極めて容易に切り替えできる使い勝手の良さを最大の特徴として、特に生理的な作用として強い特定範囲の波長のブルーライトによる眼底の（１）網膜への暴露の強度の低減のみならず、（２）暴露の時間の低減をも含めたユーザー（利用者）による積極的な総暴露量の低減を企図する予防的な行動介入の実施が極めて容易に可能となる。
【００３３】
さらに、縁堤７の設置により、グラス部８を手指で回動操作する際に、当該指先の汚れがフィルタープレート４に不用意に付着して視界の妨げになる不都合を極力排除できる。
【符号の説明】
【００３４】
１・・・オーバーグラス
２・・・フィルタープレート支持棹
３・・・耳掛け部
４・・・フィルタープレート
５・・・鼻台
６・・・蝶番
７・・・縁堤
８・・・グラス部
９・・・フレーム部
１０・・・折り畳み蝶番
【図１】
0003205970.tif 000003
【図２】
0003205970.tif 000004
【図３】
0003205970.tif 000005
【図４】
0003205970.tif 000006